(57)【特許請求の範囲】
【請求項１】
枢軸を介して支柱に回転可能に支持された腕部材を備え、
当該腕部材は、前記枢軸を挟んで両側に延びる腕部と、前記枢軸を挟んで両側の腕部に振り分け配置された座席と、当該座席の座面の向きを一定に維持させることができる座席安定機構とを備えており、
振り分け配置された一方側の座席の前記腕部材との連結位置は、前記腕部材の枢軸の軸心と、他方側の、前記腕部材との連結位置とを結んで得られる線分を含む平面よりも鉛直下方側に位置しており、
前記軸心と前記一方側の座席との離間距離及び前記軸心と前記他方側の座席との離間距離は、いずれも、前記軸心から軸心直下の床面までの距離よりも短く、
前記座席安定機構は、
前記一方側の座席を一方の腕部に対して枢支する一方側座席枢軸と、
前記他方側の座席を他方の腕部に対して枢支する他方側座席枢軸と、
前記枢軸に同軸上に配置され、前記支柱に対して固定された中央円盤部材と、
前記一方側座席枢軸に同軸且つ回転可能に枢支されると共に前記一方側の座席と同期して動く一方側円盤部材と、
前記他方側座席枢軸に同軸且つ回転可能に枢支されると共に前記一方側の座席と同期して動く他方側円盤部材と、
前記中央円盤部材及び前記一方側円盤部材に巻回された一方の索状部材と、
前記中央円盤部材及び前記他方側円盤部材に巻回された他方の索状部材と、
を備え、
前記中央円盤部材、一方側円盤部材及び他方側円盤部材は、索状部材が巻回される巻回部の直径が同径であることを特徴とする遊具。
【請求項２】
前記腕部材の揺動を止める制動手段がさらに備えられており、
当該制動手段の操作部は、前記座席に座った乗員によって操作可能な位置に配置されていることを特徴とする請求項１に記載の遊具。
【請求項３】
前記腕部材を揺動させる加振手段をさらに備えており、
当該加振手段の操作部は、前記座席に座った乗員によって操作可能な位置に配置されていることを特徴とする請求項１又は２に記載の遊具。
【請求項４】
前記支柱を鉛直軸回りに回転可能に支持する回転機構をさらに備えていることを特徴とする請求項１乃至３のいずれか一項に記載の遊具。
【発明の詳細な説明】
【技術分野】
【０００１】
本発明は、公園等に設置される遊具に関するものである。
【背景技術】
【０００２】
人力で動かして楽しむことができる遊具の一つとしてシーソーがある。シーソーは、一般的には、中央部の支点で揺動可能に支持された長尺の板材の両端部に座部及び把持部を備えており、把持部を掴んだ状態で各座部に跨った者同士が交互に地面を蹴ることで上下動を楽しむことができる遊具である。
【０００３】
一方、特許文献１に記載のシーソーは、上下に平行配置された２本の水平節と、左右に垂直配置された２本の垂直節とで構成された平行四節リンクと、２本の水平節の中央部を回転可能に支持する支持体とを備えている。そして、左右の垂直節のそれぞれに座部が設けられている。
【先行技術文献】
【特許文献】
【０００４】
【特許文献１】実開昭６３−１３００９４号公報
【発明の概要】
【発明が解決しようとする課題】
【０００５】
ところが、上述したシーソーを含めて従来のシーソーは構造が簡単であることから、動きが比較的単調で飽きが生じやすい。また、シーソーで上手に遊ぶためには、同じような体格の子供同士など、同程度の体重の者同士で利用する必要がある。逆に言えば、同程度の体重の子供が複数人いない場合には、シーソーで遊ぶことができない。例えば親子二人など体重差がある者同士でシーソー遊びをすることは困難である。仮に、このような親子でシーソー遊びをしたとしても、体重の重い親のみがシーソーの動きについて主導権を握ることになるので、子供にとって必ずしも魅力的とは言えない。
【０００６】
本願発明はこのような問題点に鑑みてなされたものであり、乗員の動きがよりダイナミックで、しかも体重差のある者同士で楽しむことができるシーソータイプの遊具を提供することを目的とする。
【課題を解決するための手段】
【０００７】
上記目的を達成するため、本願発明に係る遊具は、枢軸を介して支柱に回転可能に支持された腕部材を備えている。腕部材は、前記枢軸を挟んで両側に延びる腕部と、前記枢軸を挟んで両側の腕部に振り分け配置された座席と、当該座席の座面の向きを一定に維持させる座席安定機構とを備え、前記枢軸の位置は、前記腕部材の中間位置から離れた位置であることを特徴とする。
【０００８】
この発明に係る遊具では、腕部材の中間位置とは異なる位置に枢軸が配置されている。別言すれば、枢軸から各側の座席までの距離が異なっている。このような構造であれば、体重差がある親子二人であっても、体重の重い親が枢軸に近い座席に座り、体重が軽い子供が枢軸から遠い座席に座ることで、比較的容易に腕部材の左右のバランスを取ることができる。すなわち、親子が対等の関係でシーソー動作を楽しむことができる。
【０００９】
そして、この遊具では、子供の座席が親の座席に比べて枢軸から遠い位置にあり、その分、子供の座席の昇降範囲が広くなる。つまり、親の座席より高い位置に上昇する構造になっている。このように、子供の座席がより高い位置まで上昇する構造は、より大きなスリルを子供に与えることができ、子供にとってより魅力的である。
【００１０】
ところで、シーソータイプの遊具では、乗員が対面状態で着座し交互に上昇する。従って、従来のシーソータイプの遊具では、一方の乗員は、他方の乗員の上昇位置に基づいて自らの上昇位置を予測可能である。ところが、この発明に係る遊具では、親の上昇位置に基づいて子供が自らの上昇位置を予測したとしても、子供は予測位置よりもさらに上昇する。このように、この発明に係る遊具は、子供の予測を裏切る動きをすることで、より大きなスリルを子供に与えるものであり、子供にとってより魅力的である。
【００１１】
なお、この発明に係る遊具は、座席の座面の向きを一定に維持させる座席安定機構を備えている。従って、座席が上昇するにつれて座席の座面が傾くようなことはなく、座席に座った子供をより安定した状態で上昇させることができる。
【００１２】
このような魅力を有する遊具であるが、体重差がない者同士で遊ぶ場合には、このような魅力を引き出すことができない。この点を考慮すると、次のような構造の遊具が好ましい。
【００１３】
つまり、振り分け配置された一方側の座席の前記腕部材との連結位置は、前記腕部材の枢軸の軸心と、他方側の座席の、前記腕部材との連結位置とを結んで得られる線分を含む平面よりも鉛直上方側に位置しており、前記腕部材は、その両腕部の少なくともいずれか一方に、複数の座席固定位置を備えている。
【００１４】
このように、腕部材の一方（又は両方）の腕部に、複数の座席固定位置を備えれば、必要に応じて腕部の複数箇所に座席を配置することができる。一方（又は両方）の腕部に複数の座席があれば、乗員が座る座席を選択することができ、座席選択によってより容易に腕部材の左右バランスをとることができる。腕部材の左右バランスをとることができれば、枢軸を挟んで座る両側の乗員が対等の関係でシーソー動作を楽しむことができる。
【００１５】
また、一方側の座席が上記枢軸の軸心と上記線分を含む平面よりも鉛直上方側に位置する遊具としては、例えば、腕部材を構成する左右両側の腕部が逆へ字状（Ｖ字状）に折れ曲がったものを挙げることができる（図３（Ａ）参照）。このような構成にすると、枢軸から両側の座席までの距離が同じままであっても、一方側の座席を下降させたときの他方側の座席の上昇位置がより高くなる。つまり、子供の座席の上昇高さがより高くなり、より大きなスリルを子供に与えることができる。ひいては、より魅力的な遊具を実現することができる。
【００１６】
なお、複数の座席固定位置を備える腕部としては、種々の構成の腕部を挙げることができる。例えば、腕部に複数の座席設置位置が設けられ、同時に複数の座席を設置可能になっているものが挙げられる。また、腕部の長手方向に沿ってスライド可能に設置された座席を備え、複数の座席固定位置に移動及び固定可能になっているものなども挙げることができる。
【００１７】
また、本願に係る別の発明は、枢軸を介して支柱に回転可能に支持された腕部材を備えている。当該腕部材は、前記枢軸を挟んで両側に延びる腕部と、前記枢軸を挟んで両側の腕部に振り分け配置された座席と、当該座席の座面の向きを一定に維持させることができる座席安定機構とを備えており、振り分け配置された一方側の座席の前記腕部材との連結位置は、前記腕部材の枢軸の軸心と、他方側の座席の、前記腕部材との連結位置とを結んで得られる線分を含む平面よりも鉛直下方側に位置しており、前記軸心と前記一方側の座席との離間距離及び前記軸心と前記他方側の座席との離間距離は、いずれも、前記軸心から軸心直下の床面までの距離よりも短いことを特徴とする遊具である。
【００１８】
本発明に係る遊具の腕部材は、へ字状（逆Ｖ字状）に折れ曲がった左右の腕部を備えるものであり、「やじろべえ形状」と称することができるものである。腕部材がこのような構造であれば、二人の乗員の体重差がどのような状態であっても、体重差に応じたバランス位置で腕部材をバランスさせることができる。つまり、どのような体重差がある者同士であっても、安定したシーソー動作を実現することができる。
【００１９】
また、この遊具では、軸心と一方側の座席との離間距離及び軸心と他方側の座席との離間距離のいずれもが、枢軸の軸心から枢軸直下の床面までの距離よりも短くなっている。このような構成にすると、両側の座席を枢軸直下に位置させることができ、より広い揺動範囲（昇降範囲）で揺動させることができる。そして、座席が枢軸直下（最下降位置）に位置するとき、座席に座っている者が床面を蹴ることによって、シーソー動作を楽しむことができる。
【００２０】
なお、この遊具で用いる座席安定機構としては、重力を利用したシンプルな機構のものなど種々のものがあるが、例えば次のものが好ましい。
【００２１】
つまり、前記座席安定機構は、前記一方側の座席を一方の腕部に対して枢支する一方側座席枢軸と、前記他方側の座席を他方の腕部に対して枢支する他方側座席枢軸と、前記枢軸に同軸上に配置され、前記支柱に対して固定された中央円盤部材と、前記一方側座席枢軸に同軸且つ回転可能に枢支されると共に前記一方側の座席と同期して動く一方側円盤部材と、前記他方側座席枢軸に同軸且つ回転可能に枢支されると共に前記一方側の座席と同期して動く他方側円盤部材と、前記中央円盤部材及び前記一方側円盤部材に巻回された一方の索状部材と、前記中央円盤部材及び前記他方側円盤部材に巻回された他方の索状部材と、を備えており、前記中央円盤部材、一方側円盤部材及び他方側円盤部材は、索状部材が巻回される巻回部の直径が同径であるものが好ましい。
【００２２】
このような構造の座席安定機構を用いれば、枢軸を挟んで両側に配置された座席の座面の向きを一定に維持させることができ、座席に座った者を安定した状態で昇降させることができる。
【００２３】
なお、ここで言う円盤部材とは、回転動力の入出力に用いられる回転体のことであり、例えば、ワイヤやベルトが巻回されるプーリ、チェーンが巻回されるスプロケットなどを挙げることができる。
【００２４】
また、ここでいう索状部材とは、上記円盤部材に入出される動力の伝達に用いられる動力伝達用部材のことであり、例えば、プーリに巻回されるワイヤ、スプロケットに巻回されるチェーンなどを挙げることができる。
【００２５】
また、本願発明に係る遊具としては、腕部材の揺動を止める制動手段がさらに備えられており、当該制動手段の操作部が前記座席に座った乗員によって操作可能な位置に配置されているものでもよい。
【００２６】
制動手段があれば、揺動する腕部材を任意の揺動位置で停止させることができる。従って、子供が座っている座席を最高点で停止させたり、子供が予測していなかった位置で停止させたりすることができる。このようなことができれば、より大きなスリルを子供に与えることができ、子供にとってより魅力的である。
【００２７】
また、本願発明に係る遊具としては、腕部材を揺動させる加振手段をさらに備えており、当該加振手段の操作部が座席に座った乗員によって操作可能な位置に配置されているものでもよい。
【００２８】
加振手段があれば、腕部材の揺動をより大きなものにすることができる。従って、座席をより高い位置まで上昇させたり、揺動時の最高速度をより高速にしたり、揺動状態をより長期間継続させたりすることができる。このようなことができれば、より大きなスリルを子供に与えることができるので、子供にとってより魅力的である。
【００２９】
また、本願発明に係る遊具としては、支柱を鉛直軸回りに回転可能に支持する回転機構をさらに備えているものでもよい。このような回転機構があれば、座席に座った乗員を揺動させつつ回転させることができ、より大きなスリルを乗員に与えることができる。
【００３０】
そして、揺動する乗員は、回転機構の回転中心位置に対して近接離間移動する。従って、揺動されつつ回転される乗員は、コリオリ力（揺動方向に対して直交する方向の力）を受ける。このコリオリ力は、従来のシーソーでは受けることのない力であり、本発明に係る遊具の乗員は、予期していなかった力を受けたと感じる。このような予期しない力を与えることによって、より大きなスリルを乗員に与えることができる。なお、回転する本発明の遊具に乗った乗員は、回転座標系における慣性力を受けることになるので、コリオリ力の他に、回転中心から外方に向かう遠心力を受ける。
【００３１】
さらに、遊具の腕部材は、揺動することによって慣性モーメントが変化する。従って、回転する遊具の角運動量が保存される条件下では、腕部材の揺動位置によって、遊具の角速度（単位時間当たりの回転数）が変化する。つまり、腕部材が水平に近くなるほど角速度が低下し、垂直に近くなるほど角速度が速くなる。本発明に係る遊具は、このような予期しにくい変化を乗員に与えることによって、より大きなスリルを乗員に与えることができる。
【発明の効果】
【００３２】
本発明の遊具によれば、子供の座席をより高い位置まで上昇させることができるので、より大きなスリルを子供に与えることができる。従って、当該遊具は、子供にとって非常に魅力的である。
【図面の簡単な説明】
【００３３】
【図１】（Ａ）は本発明の第１実施形態としての遊具を示す斜視図であり、（Ｂ）は正面図である。
【図２】（Ａ）（Ｂ）は、本発明の第２実施形態としての遊具を示す斜視図である。
【図３】（Ａ）（Ｂ）は、本発明の第２実施形態としての遊具を示す正面図である。
【図４】（Ａ）（Ｂ）は、本発明の第２実施形態としての遊具の動作を説明するための正面図である。
【図５】（Ａ）（Ｂ）は、本発明の第２実施形態としての遊具の他の例を示す正面図である。
【図６】図３（Ａ）のＣ−Ｃ断面を示す断面図である。
【図７】（Ａ）（Ｂ）は、本発明の第３実施形態としての遊具を示す斜視図である。
【図８】（Ａ）（Ｂ）は、本発明の第３実施形態としての遊具を示す正面図である。
【図９】本発明の第３実施形態としての遊具の他の例を示す正面図である。
【図１０】（Ａ）は、本発明の第４実施形態としての遊具を示す正面図であり、（Ｂ）は平面図である。
【図１１】（Ａ）（Ｂ）は、本発明の第４実施形態としての遊具の動作を説明するための正面図である。
【図１２】（Ａ）は、本発明の第５実施形態としての遊具を示す斜視図であり、（Ｂ）は正面図である。
【図１３】（Ａ）（Ｂ）は、本発明の第５実施形態としての遊具の動作を説明するための正面図である。
【図１４】本発明の第３実施形態としての遊具を回転台の上に設置した状態を示す斜視図である。
【発明を実施するための形態】
【００３４】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００３５】
（第１実施形態）
図１に示すように、遊具１０は、遊具設置位置に固定された支柱１１と、支柱１１の先端部に枢軸１２を介して回転可能に支持された腕ユニット（腕部材）２０とを備えたシーソーである。
【００３６】
腕ユニット２０は、横方向に延在する２本の横アーム２１ａ，２１ｂと、縦方向に延在する２本の縦アーム２１ｃ，２１ｄとで構成される四節リンクと、各縦アーム２１ｃ，２１ｄに取り付けられた座席２２ａ，２２ｂと、座席２２ａ，２２ｂに跨って座った乗員が握る乗員把持用のバー２３ａ，２３ｂとを備えている。各縦アーム２１ｃ，２１ｄは、アーム延在方向外側に向かって延びる座面支持体２１ｓを備えたＬ字形状の部材であり、座面支持体２１ｓ上に座席２２ａ，２２ｂが設置されている。つまり、両座席２２ａ，２２ｂは、枢軸１２を挟んで両側に延びる各腕部２０ａ，２０ｂに振り分け配置されている。そして、２本の横アーム２１ａ，２１ｂのうち上側に配置された上部横アーム２１ａの両端部にバー２３ａ，２３ｂが取り付けられている。
【００３７】
四節リンクは、２本の横アーム２１ａ，２１ｂ同士と２本の縦アーム２１ｃ，２１ｄ同士が常に平行な平行四節リンク（座席安定機構）である。従って、各縦アーム２１ｃ，２１ｄに取り付けられた座席２２ａ，２２ｂの座面の向きは、常に一定の向き（本実施形態の座面は水平）に維持される。このように、座面の向きが一定であるので、座席２２ａ，２２ｂに座った乗員に安定感を与えることができる。四節リンクのうち、２本の横アーム２１ａ，２１ｂは、その中間位置２１ｐから離れた位置で枢軸１２を介して支柱１１に支持されている。具体的には、２本の横アーム２１ａ，２１ｂは、いずれも中間位置２１ｐ（図１（Ｂ）参照）よりも第１座席２２ａから離れた位置で枢支されている。
【００３８】
このような構造の遊具は、例えば親子など体重差がある者同士での利用に適している。つまり、枢軸１２から遠い第１座席２２ａに体重の軽い子供が座り、枢軸１２に近い第２座席２２ｂに親が座ることで、腕ユニット２０の左右バランスをとり易い構造になっている。左右バランスがとれれば、体重差がある者同士であっても交互に地面を蹴ることができ、対等の関係でシーソー遊びをすることができる。
【００３９】
また、遊具１０では、横アーム２１ａ，２１ｂの軸支持位置が第２座席２２ｂ寄りに偏っているので、第２座席２２ｂの最上昇位置（図１（Ｂ）の実線の状態参照）よりも第１座席２２ａの最上昇位置（図１（Ｂ）の二点鎖線の状態参照）の方が高くなる。つまり、体重が軽い子供が座る座席の方が、広い昇降範囲を有し、予測できないような、より高い位置まで上昇する。従って、遊具１０は、体重が軽い子供などに、より大きなスリルを与えることができる遊具であり、子供にとってより魅力的な遊具である。
【００４０】
（第２実施形態）
次に、本発明の第２実施形態としての遊具３０について、図２及び図３を参照しつつ説明する。なお、上記遊具１０と共通の部材には同一の符号を付し、その説明を省略する。
【００４１】
図２に示すように、遊具３０は、支柱１１と、支柱１１の先端部に枢軸１２を介して回転可能に支持された腕ユニット２０とを備えている。そして、腕ユニット２０は、枢軸１２を挟んで両側に延びる左右の腕部２０ａ，２０ｂを備えている。
【００４２】
両腕部２０ａ，２０ｂのうち、図２において右側に示される第１腕部２０ａは、一端で支柱１１に枢支された上下２本の第１横アーム３１ａ，３２ａと、両第１横アーム３１ａ，３２ａの他端同士を連結する第１縦アーム３３ａとを備えている。そして、これらのアーム３１ａ，３２ａ，３３ａと支柱１１とで平行四節リンク（座席安定機構）が構成されている。さらに、第１腕部２０ａは、第１縦アーム３３ａに取り付けられた第１座席３４ａ及び乗員把持用の第１バー３５ａを備えている。なお、第１縦アーム３３ａは、遊具１０の縦アーム２１ｃ，２１ｄ同様、座面支持体３３ｓを備えたＬ字形状の部材であり、座面支持体３３ｓに第１座席３４ａが固定されている。
【００４３】
他方、図２において左側に示される第２腕部２０ｂは、一端で支柱１１に枢支された上下２本の第２横アーム３１ｂ，３２ｂと、両第２横アーム３１ｂ，３２ｂの他端同士を連結する第２縦アーム３３ｂと、２本の第２横アーム３１ｂ．３２ｂに支持された座席部材４０とを備えている。そして、両第２横アーム３１ｂ，３２ｂ、第２縦アーム３３ｂ及び支柱１１で平行四節リンク（座席安定機構）が構成されている。
【００４４】
２本の第２横アーム３１ｂ，３２ｂのうち上側に配置された上部第２横アーム３１ｂは、下部第１横アーム３２ａと一体である。従って、第１腕部２０ａと第２腕部２０ｂは、常に一体の部材として支柱１１に対して揺動する。本実施形態では、一体である上部第２横アーム３１ｂ及び下部第１横アーム３２ａを枢支する軸が枢軸１２である。
【００４５】
また、上部第２横アーム３１ｂと下部第１横アーム３２ａは、枢軸１２を屈曲点として、逆へ字状（Ｖ字状）に折れ曲がっている。別言すれば、第２座席３４ｂの、腕ユニット２０との連結位置は、枢軸１２の軸心と、第１座席３４ａの下部第１横アーム３２ａ（腕ユニット２０）との連結位置３３ｐとを結んで得られる線分を含む平面Ｐ１（図３（Ａ）参照）よりも鉛直上方側に位置している。従って、腕ユニットが折れ曲がっていない場合に比べて各座席３４ａ，３４ｂをより高い位置に上昇させることができる。
【００４６】
なお、第２座席３４ｂの、腕ユニット２０との連結位置は、さらに別言すれば、後述の座席部材４０の、第２横アーム３１ｂ，３２ｂとの連結位置であるということができる。この位置は、後述の座席部材４０のスライダ４２ａ，４２ｂの位置である。
【００４７】
さらに、腕ユニット２０の第１腕部２０ａは第２腕部２０ｂより長い。別言すれば、枢軸１２の位置は、腕ユニット２０の中間位置２０ｐ（図３（Ａ）参照）から離れた位置である。従って、第１座席３４ａは昇降範囲が広くなっており、第２座席３４ｂよりも高い位置に上昇する（図４参照）。
【００４８】
このように、遊具３０では、両座席３４ａ，３４ｂ、特に体重が軽い者の座席として適した第１座席３４ａを高い位置に上昇させることができ、体重が軽い子供などにより大きなスリルを与えることができる。
【００４９】
また、第２腕部２０ｂの各第２横アーム３１ｂ，３２ｂは、いずれも一対の断面コ字形（Ｕ字形）のガイドレール４５ａ，４５ｂで構成されている（図６参照）。なお、一対のガイドレール４５ａ，４５ａ（４５ｂ，４５ｂ）は、ガイドレールの開口部が対向する状態で配置されており、後述する座席部材４０のスライダ４２ａ，４２ｂをガイドするものである。
【００５０】
座席部材４０は、一対のガイドレール４５ａ，４５ａ（４５ｂ，４５ｂ）に摺動可能な状態で挟まれた座席支持体４１と、座席支持体４１に一体に設けられた第２座席３４ｂ及び丸棒形状の２本のスライダ４２ａ，４２ｂとを備えている。従って、遊具３０においても、枢軸１２を挟んで両側に延びる各腕部２０ａ，２０ｂに座席３４ａ，３４ｂが振り分け配置されている。なお、第２座席３４ｂに座った乗員のために、乗員把持用の第２バーを第２座席３４ｂに取り付けても良い。
【００５１】
２本のスライダ４２ａ，４２ｂのうち上側に配置された上部スライダ４２ａは、上部第２横アーム３１ｂを構成するガイドレール４５ａ，４５ａに対し、スライド可能に組み込まれている。また、下部スライダ４２ｂは、下部第２横アーム３２ｂを構成するガイドレール４５ｂ，４５ｂに対してスライド可能に組み込まれている。また、２本のスライダ４２ａ，４２ｂの軸間距離Ｌ１（図３参照）は、両第２横アーム３１ｂ，３２ｂを連結する第２縦アーム３３ｂの両端の枢支位置間距離Ｌ２と同じである。そして座席支持体４１の延在方向（２本のスライダ４２ａ，４２ｂの軸心同士を結ぶ線分の方向）は、第２縦アーム３３ｂと常に平行である。このような構造にすると、第２座席３４ｂの座面の向きが常に一定に維持される。つまり、座席部材４０は、座席支持体４１と第２縦アーム３３ｂとの平行状態を維持しつつ、第２横アーム３１ｂ，３２ｂの延在方向に沿ってスライド可能になっている（図３参照）。このように、座席部材４０の２本のスライダ４２ａ，４２ｂ及び座席支持体４１は、第２座席３４ｂの座席安定機構の一部を構成している。
【００５２】
なお、座席部材４０の座席支持体４１には、上部第２横アーム３１ｂを把持するクランプ機構（不図示）を備えている。このクランプ機構で上部第２アーム３１ｂを把持することで、座席部材４０を第２横アーム３１ｂ，３２ｂに対して任意の位置に固定できる。つまり、第２腕部２０ｂは、第２座席３４ｂの座席固定位置を複数備えていることになり、第２座席３４ｂは、複数の座席固定位置に移動可能ということになる。クランプ機構は、周知の構造であるので、ここでは詳細な説明を省略した。
【００５３】
このような遊具３０を利用する場合は、まず、遊具３０で遊ぶ者同士の体重差を考慮して、第２座席３４ｂの位置を設定する。体重差が大きいほど第２座席３４ｂを枢軸１２に近い位置に設定し（図２（Ａ），図３（Ａ）参照）、体重差が少ない場合ほど第２座席３４ｂを枢軸１２から離した位置に設定する（図２（Ｂ），図３（Ｂ）参照）。その後、子供などの体重が軽い者が第１座席３４ａに乗り、親などの体重が重い者が第２座席３４ｂに乗って遊ぶ。
【００５４】
なお、本実施形態では第２腕部２０ｂの長さは第１腕部２０ａより短いが、同じ長さ以上の長さであってもよい。このように、第２腕部２０ｂの長さを長くすると、第２座席３４ｂを固定するための座席固定位置の選択肢が広がる。従って、より幅広く体重差に対応できる。
【００５５】
また、複数の座席固定位置を備える構成としては、第２実施形態の遊具３０のように第２座席３４ｂをスライド式にする構成以外に、例えば、図５に示すような構成の遊具３０ｂを挙げることができる。つまり、第２腕部２０ｂに、複数の第２座席３５ｂ，３６ｂを設置する構成である。ここでは、各第２座席３５ｂ，３６ｂを支持する各第２縦アーム３７ｂ，３８ｂが第２横アーム３１ｂ，３２ｂにピン３９ｂで回転可能に支持されており、これらの第２縦アーム３７ｂ，３８ｂが座席安定機構の一部を構成している。なお、上記遊具３０と共通の部材には同一の符号を付し、その説明を省略した。
【００５６】
（第３実施形態）
次に、本発明の第３実施形態としての遊具５０について図７及び図８を参照しつつ、説明する。
【００５７】
図７に示すように、遊具５０は、遊具設置位置に固定された支柱１１と、支柱１１の先端部に固定された枢軸１２を介して回転可能に支持された腕ユニット２０とを備えている。
【００５８】
腕ユニット２０は、枢軸１２から両側に延在する左右の腕部２０ａ，２０ｂと、各腕部２０ａ，２０ｂの先端部に取り付けられた座席５１ａ，５１ｂとを備えている。第１腕部２０ａと第２腕部２０ｂは一体の部材であり、枢軸１２を挟んで両側に延びる各腕部２０ａ，２０ｂに座席５１ａ，５１ｂが振り分け配置されている。
【００５９】
また、両腕部２０ａ，２０ｂの先端部には、回転可能な状態で軸体（座席枢軸）５２ａ，５２ｂが取り付けられている。なお、各軸体５２ａ，５２ｂの回転軸の方向は、枢軸１２の軸方向と平行である。
【００６０】
そして、第１腕部２０ａの先端部の第１軸体５２ａには、第１座席５１ａが固定され、円形の第１ハンドル５３ａが同軸配置されている。同様に、第２腕部２０ｂの先端部の第２軸体５２ｂには、第２座席５１ｂが固定され、円形の第２ハンドル５３ｂが同軸配置されている。なお、両ハンドル５３ａ，５３ｂは腕ユニット２０に固定されており、第１座席５１ａ及び第２座席５１ｂには乗員把持用のバー５４ａ，５４ｂが取り付けられている。
【００６１】
さらに、腕ユニット２０は、枢軸１２に同軸固定された中央円盤部材５５と、第１軸体５２ａに同軸固定された第１円盤部材５６ａと、第２軸体５２ｂに同軸固定された第２円盤部材５６ｂとを備えている。中央円盤部材５５は支柱１１に固定されている。中央円盤部材５５、第１円盤部材５６ａ及び第２円盤部材５６ｂは、同じ形状（つまり同じ直径）のプーリであり、後述のワイヤ５７ａ，５７ｂが掛けられる溝を外周部（巻回部）に備えている。
【００６２】
そして、腕ユニット２０は、中央円盤部材５５と第１円盤部材５６ａに巻回された第１ワイヤ（索状部材）５７ａと、中央円盤部材５５と第２円盤部材５６ｂに巻回された第２ワイヤ５７ｂとを備えている。各ワイヤ５７ａ，５７ｂは、テンションを付与された状態で、対応する円盤部材５５，５６ａ，５６ｂに掛けられている。
【００６３】
従って、腕ユニット２０が揺動すると、第１円盤部材５６ａの腕ユニット２０に対する相対回転に同期して第１軸体５２ａ及び第１座席５１ａが回転する。中央円盤部材５５と第１円盤部材５６ａは同じ直径であるので、このとき、第１座席５１ａはその座面の向きが一定の向き（本実施形態では水平）に維持された状態で回転する。つまり、第１軸体５２ａ、両円盤部材５５，５６ａ及び第１ワイヤ５７ａは第１座席５１ａの座席安定機構を構成している。座面の向きを一定にすると、座席に座った乗員に安定感を与えることができる。
【００６４】
なお、第２座席５１ｂも、第１座席５１ａと同様の構成で支持されており、腕ユニット揺動時、座面が一定の向きに向いた状態で揺動するが、ここでは、その詳細な説明を省略する。
【００６５】
図８（Ｂ）に示すように、枢軸１２の軸心から第１座席５１ａまでの離間距離Ｌ３は、枢軸１２の軸心から遊具５０が設置された床面表面Ｇまでの垂直離間距離Ｌ４よりも短い。従って、腕ユニット２０は、第１座席５１ａが枢軸直下に位置する状態になる角度まで揺動可能である。なお、ここでは、離間距離Ｌ３は枢軸１２の軸心から第１座席５１ａの中央位置５１ｓ（図７（Ａ）参照）までの距離である。このような構成は第２座席５１ｂについても同様である。このような構成にすると、座席の揺動範囲（昇降範囲）が広がるので、座席をより高い位置まで上昇させることができ、より大きなスリルを乗員に与えることができる。
【００６６】
また、第１腕部２０ａと第２腕部２０ｂは、枢軸１２を屈曲点として、へ字状（逆Ｖ字状）に折れ曲がっている。言い換えれば、第１座席５１ａの、腕ユニット２０との連結位置（第１軸体５２ａの位置）は、枢軸１２の軸心と、第２座席５１ｂを支持する腕ユニット２０との連結位置（第２軸体５２ｂの位置）とを結んで得られる線分を含む平面Ｐ２よりも鉛直下方側に位置している。つまり、遊具５０の腕ユニット支持構造は、「やじろべえ」と同様の構成であり左右バランスに優れている。このような構成であれば、体重差の大小にかかわらず、常に適宜の状態で腕ユニット２０をバランスさせることができる。つまり、体重差がある者同士であっても確実に遊ぶことができる。
【００６７】
なお、腕ユニット２０に固定された第１ハンドル５３ａは、第１座席５１ａの乗員が掴める座席前方位置に配置されている。従って、第１座席５１ａの乗員は、第１ハンドル５３ａを利用して、自らの座席を腕ユニット２０に対して相対回転させることができる。第１座席５１ａを腕ユニット２０に対して相対回転させる力は、第１軸体５２ａ及び第１円盤部材５６ａを介して第１ワイヤ５７ａに伝達され、腕ユニット２０を揺動させる力になる。つまり、第１座席５１ａの乗員は、第１ハンドル５３ａを使って自らが座っている第１座席５１ａを揺動させることにより、腕ユニット２０を揺動させることができる。
【００６８】
このような遊具５０で遊ぶ場合は、まず、二人の遊ぶ者が任意の座席に座る。遊具５０は座席の位置が高いので、例えば、一方の座席を手で下に下げて、この座席に体重の軽い者を乗せ、次に体重の重い者が他方の座席を引き下げて自ら乗る。すると、腕ユニット２０の状態が両者の体重差に応じたバランス状態になる。つまり、体重差が少ないほど両者が高さ位置になる状態でバランスし、体重差があるほど体重が重い者が地面近くになると共に体重が軽い者が高い位置になった状態でバランスする。その後、座席に座った両者がハンドル５３ａ，５３ｂを握って力を入れると、腕ユニット２０が揺動する。これにより遊具５０で遊ぶことができる。
【００６９】
なお、座席安定機構としては、本実施形態の遊具５０で用いた構成（ワイヤとプーリを用いた構成）以外に、例えば、チェーン及びスプロケットを用いる構成を挙げることができる（図９参照）。図９に示す遊具５０ｂでは、中央円盤部材５５ｂ、第１円盤部材５８ａ及び第２円盤部材５８ｂは、同じ形状（つまり同じ直径）のスプロケットである。つまり、第１円盤部材５８ａ及び第２円盤部材５８ｂは、索状部材（すなわち動力伝達部材）であるチェーン５９ａ，５９ｂが掛けられる歯を外周部（巻回部）に備えている。そして、本実施形態の遊具５０ｂは、中央円盤部材５５ｂとして、第１円盤部材５８ａと組みを成すものと、第２円盤部材５８ｂと組みを成すものの都合２つを備えている。上記遊具５０と共通の部材には同一の符号を付し、その説明を省略した。
【００７０】
（第４実施形態）
次に、本発明の第４実施形態としての遊具６０について、図１０及び図１１を参照しつつ説明する。なお、遊具５０と共通の部材には同一の符号を付し、その説明を省略する。
【００７１】
図１０に示すように、遊具６０は、支柱１１と、支柱先端の枢軸１２を介して回転可能に支持された腕ユニット２０とを備えている。腕ユニット２０は、左右の腕部２０ａ，２０ｂと、各腕部先端に配置された座席６１ａ，６１ｂとを備えており、両腕部２０ａ，２０ｂの先端部には、回転可能な状態で軸体（座席枢軸）６２ａ，６２ｂが取り付けられている。また、第１腕部２０ａの第１軸体６２ａに第１座席６１ａが固定され、第２腕部２０ｂの第２軸体６２ｂに第２座席６１ｂが固定されている。そして、各座席６１ａ，６１ｂは腕ユニット２０に対して揺動自在になっている。従って、各座席６１ａ，６１ｂの座面は重力によって一定の向きに向けられる。つまり、遊具６０では、腕ユニット２０に座席６１ａ，６１ｂを揺動自在に取り付けた構造が座席安定機構として機能している。
【００７２】
そして、図１１（Ｂ）に示すように、枢軸１２の軸心から第１座席６１ａまでの距離Ｌ５が、枢軸１２の軸心から遊具６０が設置された床面表面Ｇまでの垂直離間距離Ｌ６より常に短くなるようになっている。従って、腕ユニット２０は、第１座席６１ａが枢軸直下に位置する状態になる角度まで揺動可能である。この構成は第２座席６１ｂについても同様である。このような構造にすると、座席をより高い位置まで上昇させることができ、より大きなスリルを乗員に与えることができる。
【００７３】
第１腕部２０ａと第２腕部２０ｂは、遊具５０同様、枢軸１２を屈曲点として、へ字状（逆Ｖ字状）に折れ曲がっている。このような構成であれば、体重差の大小にかかわらず、腕ユニット２０を適宜の状態でバランスさせることができる。つまり、体重差がある者同士であっても、遊具６０で簡単且つ容易に遊ぶことができる。
【００７４】
また、第１腕部２０ａには、第１ハンドル６３ａが固定され、第２腕部２０ｂには、第２ハンドル６３ｂが固定されている。
【００７５】
各ハンドル６３ａ，６３ｂは、各座席６１ａ，６１ｂの乗員が握れるように、対応する座席の前方に配置されている。従って、各座席６１ａ，６１ｂの乗員は、ハンドル６３ａ，６３ｂに力を加えることによって、自らの座席を腕ユニット２０に対して相対回転させることができる。
【００７６】
そして、ハンドル６３ａ，６３ｂに力を加えるとき、加えた力が座席の揺動を大きくすることに利用されることを意識して力を加える（座席の揺動周期に合わせてハンドルに力を加える）と、直接的には自らの座席が大きく揺動し、これにより間接的に腕ユニット２０を揺動させることができる。他方、腕ユニット２０の揺動を大きくすることに利用されることを意識して力を加える（腕ユニット２０の揺動周期に合わせてハンドルに力を加える）と、直接的には腕ユニット２０が大きく揺動し、これにより間接的に両座席６１ａ，６１ｂを揺動させることができる。
【００７７】
このように、遊具６０では、ハンドル６３ａ，６３ｂへの力の加え方によって、座席を様々パターンで揺動させることができる。つまり、予期し得ない揺動状態を実現することができるので、より大きなスリルを与えることができる。
【００７８】
（第５実施形態）
次に、図１２から図１３を参照しつつ本発明の第５実施形態としての遊具７０について説明する。
【００７９】
図１２に示すように、遊具７０は、遊具設置位置に固定された支柱１１と、支柱１１の先端部に枢軸１２を介して回転可能に支持された腕ユニット２０とを備えている。そして、腕ユニット２０は、枢軸１２を挟んで両側に延びる左右の腕部２０ａ，２０ｂを備えている。
【００８０】
両腕部２０ａ，２０ｂのうち、図１２において右側に示される第１腕部２０ａは、一端で支柱１１に枢支された上下２本の第１横アーム７１ａ，７２ａと、両第１横アーム７１ａ，７２ａの他端同士を連結する第１縦アーム７３ａとを備えており、これらのアーム７１ａ，７２ａ，７３ａと支柱１１とで第１四節リンクが構成されている。同様に、図１２において左側に示される第２腕部２０ｂは、上下２本の第２横アーム７１ｂ，７２ｂと、両第２横アーム７１ｂ，７２ｂの他端同士を連結する第２縦アーム７３ｂとを備えており、これらのアーム７１ｂ，７２ｂ，７３ｂと支柱１１とで第２四節リンクが構成されている。また、第１縦アーム７３ａには、第１座席７４ａ及び乗員把持用の第１バー７５ａが取り付けられており、第２縦アーム７１ｂには、第２座席７４ｂ及び乗員把持用の第２バー７５ｂが取り付けられている。
【００８１】
横アームのうち下側に配置された下部第１横アーム７２ａと下部第２横アーム７２ｂは一体である。従って、第１腕部２０ａと第２腕部２０ｂは、常に一体の部材として揺動する。
【００８２】
また、図１２（Ｂ）に示すように、第１四節リンクを構成する上下２本の第１横アーム７１ａ，７２ａは、一端側（支柱１１側）の枢支位置間距離Ｌ７の方が、他方側（第１縦アーム７３ａ側）の枢支位置間距離Ｌ８よりも長くなっている。このような構成にすると、図１３に示すように、腕ユニット２０の揺動に連動して、第１縦アーム７３ａの向きが変化する。つまり、第１バー７５ａを利用して、第１縦アーム７３ａに、その向きを変化させる力を加えと、この力が腕ユニット２０を揺動させる力として作用する。従って、第１座席７４ａの乗員は地面を蹴ることなく、第１バー７５ａに力を加えることによって腕ユニット２０を揺動させることができる。このことは第２座席７４ｂの乗員についても同様である。
【００８３】
上記遊具７０の座席７４ａ，７４ｂの座面の向きは、腕ユニット２０の揺動に応じて傾くようになっている（図１３参照）。そこで、腕ユニット２０の揺動状態に拘わらず座面の向きが一定の向きに維持されるように、上記腕ユニット２０とは別に座席安定機構を設けてもよい。
【００８４】
なお、上記各実施形態の遊具は、本発明に係る遊具の一例であり、種々改変することが可能であり、本発明には、本発明の趣旨を逸脱しない範囲で改変されたものが含まれる。
【００８５】
例えば、上記各実施形態の遊具１０，３０，５０，６０，７０に、腕ユニット２０の揺動を止めるブレーキ機構（制動手段）を備えてもよい。ブレーキ機構としては、例えば、自転車等で用いられている周知のブレーキ機構を挙げることができる。これを用いる場合は、ブレーキレバー（制動手段の操作部）を座席の前に配置し、座席に座った乗員が操作できるようにする。このようなブレーキ機構があれば、揺動していた腕ユニット２０を任意の揺動位置で停止させることができる。従って、子供が座っている座席を最高点で停止させたり、子供が予測していなかった位置で停止させたりすることができる。このようなことができれば、より大きなスリルを子供に与えることができ、子供にとってより魅力的である。
【００８６】
また、腕ユニット２０を揺動させるための加振手段を上記実施形態の遊具に備えてもよい。例えば、上述した遊具５０のハンドル５３ａ，５３ｂ、遊具６０のハンドル６３ａ，６３ｂあるいは遊具７０のバー７５ａ，７５ｂは、ここで言う加振手段の一例である。なお、加振手段は、手で使用するハンドルに限られず、種々の構成が考えられる。ハンドル以外に、例えば、手の代わりに足で踏み込んで用いるペダルを挙げることができる。この場合は、ペダルを座席の下側前方に配置し、座席に座った乗員が足で踏み込んだり、つま先に引っ掛けて手前に引きつけたりできるようにする。また、地面を蹴ることによっても腕ユニット２０を加振することができる。従って、座席が下降したときに地面を蹴ることができるように枢軸の高さが設定された支柱を備える遊具は加振手段を備えているということができる。
【００８７】
これらのような加振手段があれば、腕ユニット２０の揺動を容易により大きなものにすることができる。従って、座席の揺動範囲（昇降範囲）を広げたり、座席をより高い位置まで上昇させたり、揺動時の最高速度をより高速にしたり、揺動状態をより長期間継続させたりすることができる。このようなことができれば、より大きなスリルを子供に与えることができるので、子供にとってより魅力的である。
【００８８】
また、遊具１０，３０，５０，６０，７０の支柱１１を鉛直軸回りに回転可能に支持する回転機構を備えてもよい。例えば、図１４に示すように、回転機構として回転台８０を設置し、その上に遊具（図１３では遊具５０）を設置する構成を挙げることができる。このような構成にすると、シーソー動作を行っている状態で遊具５０を回転させることができ、より大きなスリルを乗員に与えることができる。
【００８９】
また、遊具５０を回転させる回転台８０があれば、遊具回転中に、腕ユニット２０の慣性モーメントを変化させることで、遊具５０自体の回転角速度（回転速度）を変化させることができ、より大きなスリルを与えることができる。上述したように、遊具５０や遊具６０は、腕ユニット２０を大きく揺動させることができる構造であり、腕ユニット２０の慣性モーメントを大きく変化させることができる構造である。従って、これらの遊具５０，６０では、腕ユニット揺動中に、遊具を回転させると、慣性モーメントの変化に応じて遊具の回転速度が変化し、より大きなスリルを乗員に与えることができる。また、コリオリ力や遠心力が作用することで、乗員により大きなスリルを与えることができる。
【００９０】
図１４に示す回転台８０の大きさ（ここでは直径）としては、種々の直径が考えられる。例えば、回転台８０の直径を腕ユニット２０の全長より大きくすると、座席５１ａ，５１ｂに座った者は、床面に近づいたとき、遊具５０と一体的に回転する回転台８０を足で蹴ることになる。他方、回転台８０の直径をできるだけ小さくすると、座席５１ａ，５１ｂに座った者は、床面に近づいたとき、遊具５０が設置されている床面（例えば地面）Ｇを足で蹴ることになる。
【符号の説明】
【００９１】
１０．．．遊具
１１．．．支柱、１２．．．枢軸
２０．．．腕ユニット（腕部材）、２０ａ．．．第１腕部、２０ｂ．．．第２腕部
２０ｐ．．．腕ユニット２０の中間位置
２１ａ．．．上部横アーム（座席安定機構の一部）
２１ｂ．．．下部横アーム（座席安定機構の一部）
２１ｃ，２１ｄ．．．縦アーム（座席安定機構の一部）
２１ｓ．．．座面支持体
２２ａ．．．第１座席、２２ｂ．．．第２座席、２３ａ，２３ｂ．．．バー
２１ｐ．．．横アーム２１ａ，２１ｂの中間位置
３０，３０ｂ．．．遊具
３１ａ．．．上部第１横アーム（座席安定機構の一部）
３２ａ．．．下部第１横アーム（座席安定機構の一部）
３３ａ．．．第１縦アーム（座席安定機構の一部）
３１ｂ．．．上部第２横アーム（座席安定機構の一部）
３２ｂ．．．下部第２横アーム（座席安定機構の一部）
３３ｂ．．．第２縦アーム（座席安定機構の一部）
３３ｐ．．．枢軸１２と下部第１横アーム３２ａとの連結位置
３３ｓ．．．座面支持体
３４ａ．．．第１座席、３４ｂ．．．第２座席、３５ａ．．．バー
３５ｂ，３６ｂ．．．第２座席
３７ｂ，３８ｂ．．．第２縦アーム
３９ｂ．．．ピン（座席安定機構の一部）
４０．．．座席部材（座席安定機構の一部）、４１．．．座席支持体
４２ａ．．．上部スライダ、４２ｂ．．．下部スライダ、４５ａ，４５ｂ．．．ガイドレール
５０，５０ｂ．．．遊具
５１ａ．．．第１座席、５１ｂ．．．第２座席、５１ｓ．．．第１座席の中央位置
５２ａ．．．第１軸体（座席枢軸）、５２ｂ．．．第２軸体（座席枢軸）
５３ａ，５３ｂ．．．ハンドル、５４ａ，５４ｂ．．．バー
５５．．．中央円盤部材（座席安定機構の一部）
５６ａ．．．第１円盤部材（座席安定機構の一部）
５６ｂ．．．第２円盤部材（座席安定機構の一部）
５７ａ，５７ｂ．．．ワイヤ（索状部材、座席安定機構の一部）
５５ｂ．．．中央円盤部材（座席安定機構の一部）
５８ａ．．．第１円盤部材（座席安定機構の一部）
５８ｂ．．．第２円盤部材（座席安定機構の一部）
５９ａ，５９ｂ．．．チェーン（索状部材、座席安定機構の一部）
６０．．．遊具
６１ａ．．．第１座席、６１ｂ．．．第２座席
６２ａ．．．第１軸体（座席枢軸）、６２ｂ．．．第２軸体（座席枢軸）
６３ａ，６３ｂ．．．ハンドル
７０．．．遊具
７１ａ．．．上部第１横アーム（第１四節リンクの一部）
７２ａ．．．下部第１横アーム（第１四節リンクの一部）
７３ａ．．．第１縦アーム（第１四節リンクの一部）
７１ｂ．．．上部第２横アーム（第２四節リンクの一部）
７２ｂ．．．下部第２横アーム（第２四節リンクの一部）
７３ｂ．．．第２縦アーム（第２四節リンクの一部）
７４ａ．．．第１座席、７４ｂ．．．第２座席、７５ａ，７５ｂ．．．バー
８０．．．回転台（回転機構）
Ｌ１．．．２本のスライダ４２ａ，４２ｂの軸間距離
Ｌ２．．．第２縦アーム３３ｂの両端の枢支位置間距離
Ｌ３．．．枢軸１２から第１座席５１ａまでの離間距離
Ｌ４．．．枢軸１２から床面表面Ｇまでの垂直離間距離
Ｌ５．．．枢軸１２から第１座席６１ａまでの距離
Ｌ６．．．枢軸１２から床面表面Ｇまでの垂直離間距離
Ｌ７．．．第１横アーム７１ａ，７２ａの支柱１１側の枢支位置間距離
Ｌ８．．．第１横アーム７１ａ，７２ａの第１縦アーム７３ａ側の枢支位置間距離
Ｐ１．．．枢軸１２の軸心と連結位置３３ｐとを結んで得られる線分を含む平面
Ｐ２．．．枢軸１２の軸心と第２軸体５２ｂとを結んで得られる線分を含む平面
Ｇ．．．床面表面（地面）
【図１】
0005657449.tif 000002
【図２】
0005657449.tif 000003
【図３】
0005657449.tif 000004
【図４】
0005657449.tif 000005
【図５】
0005657449.tif 000006
【図６】
0005657449.tif 000007
【図７】
0005657449.tif 000008
【図８】
0005657449.tif 000009
【図９】
0005657449.tif 000010
【図１０】
0005657449.tif 000011
【図１１】
0005657449.tif 000012
【図１２】
0005657449.tif 000013
【図１３】
0005657449.tif 000014
【図１４】
0005657449.tif 000015